(57)【要約】  画像投影システムは、室内空間を画定する天井材（１０２）の裏側に配置され、天井材（１０２）に設けられた開口（１０２ａ）を介して室内に投影光を出射する出射部（１２ａ）を備えるプロジェクタ（１２）と、開口（１０２ａ）を塞ぎ、プロジェクタ（１２）の投影光が透過するカバー部材（１６）と、プロジェクタ（１２）の出射部（１２ａ）とカバー部材（１６）とを覆い、プロジェクタ（１２）の出射部（１２ａ）から開口（１０２ａ）に向かう投影光が通過する内部空間を形成するケース部材（１８）と、を有する。
2017141619.tif 000002
【特許請求の範囲】
【請求項１】
室内空間を画定する天井材または壁材の裏側に配置され、且つ、天井材または壁材に設けられた開口を介して室内に投影光を出射する出射部を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材と、を有する画像投影システム。
【請求項２】
ケース部材が、内面に、プロジェクタの光を熱に変換する光熱変換面を備える、請求項１に記載の画像投影システム。
【請求項３】
プロジェクタの投影光の一部であって且つカバー部材で反射された反射光が当たるケース部材の内面部分に、光熱変換面が配置されている、請求項２に記載の画像投影システム。
【請求項４】
光熱変換面がマット面である、請求項２または３に記載の画像投影システム。
【請求項５】
光熱変換面が黒色を備える請求項２から４のいずれか一項に記載の画像投影システム。
【請求項６】
プロジェクタの投影光が入射するカバー部材の浴室外側表面が平滑面を備える、請求項２から５のいずれか一項に記載の画像投影システム。
【請求項７】
ケース部材に覆われるようにカバー部材に取り付けられ、カバー部材を加熱するヒーターを有する、請求項２から６のいずれか一項に記載の画像投影システム。
【請求項８】
カバー部材が、断熱部材を介して天井材の裏側部分または壁材の裏側部分に取り付けられ、
ヒーターが、カバー部材を挟んで断熱部材と対向しないように、カバー部材に取り付けられている、請求項７に記載の画像投影システム。
【請求項９】
プロジェクタが、外部の空気を内部に取り込むための吸気口、および内部の空気を外部に排出するための排気口を備え
プロジェクタの排気口とケース部材の内部空間とを連絡して、プロジェクタからの排気をケース部材の内部空間に供給するダクト部材と、を有する、請求項１に記載の画像投影システム。
【請求項１０】
プロジェクタが、ダクト部材の内部空間と連絡する排気口に対向するように内部に設けられ、プロジェクタ内の空気を外部に送風する内部ファンを備える、請求項９に記載の画像投影システム。
【請求項１１】
ダクト部材の入口にフィルタが設けられている、請求項９または１０に記載の画像投影システム。
【請求項１２】
ケース部材が、その内部空間と外部とを連絡し、ダクト部材を介して供給されたプロジェクタの排気を外部に排出するための出口を備え、
ケース部材の出口にフィルタが設けられている、請求項９から１１のいずれか一項に記載の画像投影システム。
【請求項１３】
ダクト部材の入口の縁部とプロジェクタの排気口の縁部との間にシール部材が配置されている、請求項９から１２のいずれか一項に記載の画像投影システム。
【請求項１４】
出射部が外部に露出した状態でプロジェクタを収容して天井材または壁材の裏側に取り付けられるプロジェクタ取り付け部材を有し、
プロジェクタ取り付け部材が、その内部空間と外部とを連絡し、その内部空間に収容されたプロジェクタの吸気口に対向する部分に設けられる空気取り込み口を備える、請求項９から１３のいずれか一項に記載の画像投影システム。
【請求項１５】
プロジェクタ取り付け部材が、その内部空間と外部とを連絡する空気吹き出し口を備え、
空気吹き出し口に対向するようにプロジェクタ取り付け部材に設けられ、プロジェクタ取り付け部材内の空気を外部に送風する外部ファンを有する、請求項１４に記載の画像投影システム。
【請求項１６】
プロジェクタの温度を検出する温度センサと、
温度センサの温度検出結果に基づいて外部ファンを制御する制御装置と、を有し、
制御装置が、温度センサが所定の温度を超える温度を検出している間、外部ファンを駆動し続ける、請求項１５に記載の画像投影システム。
【請求項１７】
プロジェクタ取り付け部材が、不燃性材料または難燃性材料から作製されている、請求項１４から１６のいずれか一項に記載の画像投影システム。
【請求項１８】
ケース部材が、不燃性材料または難燃性材料から作製されている、請求項１７に記載の画像投影システム。
【請求項１９】
プロジェクタ取り付け部材とケース部材とが、一部品として一体化されている、請求項１８に記載の画像投影システム。
【請求項２０】
プロジェクタが、プロジェクタ取り付け部材の天板部に吊り下げ支持された状態で該プロジェクタ取り付け部材内に収容されている、請求項１４から１９のいずれか一項に記載の画像投影システム。
【請求項２１】
プロジェクタ取り付け部材に、プロジェクタの出射部が通過するプロジェクタ取り付け部材の貫通穴を介してケース部材の内部空間からプロジェクタ取り付け部材の内部空間への空気の流れを遮断するシール部材が配置されている、請求項１４から２０のいずれか一項に記載の画像投影システム。
【請求項２２】
ケース部材の内面の少なくとも一部に、蓄光層が設けられている、請求項１から２１のいずれか一項に記載の画像投影システム。
【請求項２３】
画像投影システムを備える浴室であって、
画像投影システムが、
室内空間を画定する天井材または壁材の裏側に配置され、且つ、天井材または壁材に設けられた開口を介して室内に投影光を出射する出射部を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材とを有する、浴室。
【発明の詳細な説明】
【技術分野】
【０００１】
本発明は、画像を投影する画像投影システムおよび浴室に関する。
【背景技術】
【０００２】
従来より、スクリーンや室内の壁面に画像を投影するプロジェクタが使用されている。例えば、特許文献１に記載するように、浴室の壁材表面に画像を投影するプロジェクタが知られている。特許文献１のプロジェクタの場合、画像が投影される壁材表面の部分に付着する水滴を除去するために、その壁材表面の部分にヒーターが設けられている。これにより、良好な画像が壁材表面に投影される。【０００３】
ところで、特許文献１に記載するように浴室などの高温多湿の室内で画像を投影する場合、プロジェクタに付着する水滴、特に、投影光を出射する出射部に付着する水滴に対しても対策が必要である。出射部に水滴が付着すると、プロジェクタは良好な画像（例えば輪郭がシャープな画像など）を投影することができない場合がある。【０００４】
この問題に対処することができる、特許文献２に記載する、高温多湿の浴室の壁面に画像を投影する画像投影装置が知られている。この画像投影装置は、浴室の壁に組み込まれた透明防水カバーを介して、浴室外から浴室内の壁面に画像を投影する。また、透明防水カバーの浴室内側表面に付着した結露（水）を除去するまたは結露の発生を抑制するために、画像投影装置からの排気をダクトを介して透明防水カバーの浴室内側表面または浴室外側表面に噴出するように構成されている。
【先行技術文献】
【特許文献】
【０００５】
【特許文献１】特開２００２−２９５０３１号公報
【特許文献２】特開２００２−２７１７１６号公報
【発明の概要】
【発明が解決しようとする課題】
【０００６】
上述の特許文献２の場合、画像投影装置からの排気を透明防水カバーに噴出しても、その排気量（熱量）が足らず、透明防水カバーに発生した結露を十分に除去できないまたはその発生を十分に抑制できない可能性がある。【０００７】
また、画像投影装置が浴室を画定する天井材や壁材の裏側に配置されている場合、透明防水カバーの浴室外側表面にほこりや虫などが付着する可能性がある。【０００８】
これらの結果、浴室外から浴室内に良好な画像を投影することができない可能性がある。【０００９】
そこで、本発明は、浴室などの高温多湿の室内にその室外から画像を投影する場合において、良好な画像を投影することを課題とする。
【課題を解決するための手段】
【００１０】
上記技術的課題を解決するために、本発明の一態様によれば、
室内空間を画定する天井材または壁材の裏側に配置され、且つ、天井材または壁材に設けられた開口を介して室内に投影光を出射する出射部を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材と、を有する画像投影システムが提供される。【００１１】
また、本発明の別の態様によれば、
画像投影システムを備える浴室であって、
画像投影システムが、
室内空間を画定する天井材または壁材の裏側に配置され、且つ、天井材または壁材に設けられた開口を介して室内に投影光を出射する出射部を備えるプロジェクタと、
天井材または壁材の開口を塞ぎ、プロジェクタの投影光が透過するカバー部材と、
プロジェクタの出射部とカバー部材とを覆い、且つ、プロジェクタの出射部から開口に向かう投影光が通過する内部空間を形成するケース部材とを有する、浴室が提供される。
【発明の効果】
【００１２】
本発明によれば、浴室などの高温多湿の室内にその室外から画像を投影する場合において、良好な画像を投影することができる。
【図面の簡単な説明】
【００１３】
【図１】本発明の実施の形態１に係る浴室を概略的に示す図
【図２】本発明の実施の形態１に係る画像投影システムの概略的斜視図
【図３】図２のＡ−Ａ線に沿った画像投影システムの断面図
【図４】図２のＢ−Ｂ線に沿った画像投影システムの断面図
【図５】ヒーターおよびカバー部材の上面図
【図６】本発明の実施の形態２に係る画像投影システムの概略的斜視図
【図７】異なる方向から見た、本発明の実施の形態２に係る画像投影システムの概略的斜視図
【図８】図６のＣ−Ｃ線に沿った画像投影システムの断面図
【図９】本発明の実施の形態２に係る画像投影システムの内部構成を示す上方視断面図
【図１０】プロジェクタの概略的斜視図
【図１１】異なる方向から見た、プロジェクタの概略的斜視図
【図１２】別の実施の形態に係る画像投影システムの断面図
【図１３】さらに別の実施の形態に係る画像投影システムの断面図
【発明を実施するための形態】
【００１４】
本発明の一態様である画像投影システムは、室内空間を画定する天井材または壁材の裏側に配置され、且つ、天井材または壁材に設けられた開口を介して室内に投影光を出射する出射部を備えるプロジェクタと、天井材または壁材の開口を塞ぎ、プロジェクタの投影光が透過するカバー部材と、プロジェクタの出射部とカバー部材とを覆い、且つ、プロジェクタの出射部から開口に向かう投影光が通過する内部空間を形成するケース部材と、を有する。
【００１５】
このような構成によれば、浴室などの高温多湿の室内にその室外から画像を投影する場合において、良好な画像を投影することができる。
【００１６】
ケース部材が、内面に、プロジェクタの光を熱に変換する光熱変換面を備えてもよい。プロジェクタからの光の一部から変換された熱を利用することにより、プロジェクタの出射部に水滴が付着することが抑制される。また、カバー部材への水滴の付着も抑制される。その結果、プロジェクタは、カバー部材を介して室内に良好な画像を投影することができる。
【００１７】
プロジェクタの投影光の一部であって且つカバー部材で反射された反射光が当たるケース部材の内面部分に、光熱変換面が配置されてもよい。これにより、カバー部材で反射した反射光を熱に変換することができる。
【００１８】
ケース部材の光熱変換面は、マット面であってもよい。
【００１９】
ケース部材の光熱変換面が、黒色を備えてもよい。
【００２０】
プロジェクタの投影光が入射するカバー部材の浴室外側表面が、平滑面を備えてもよい。これにより、反射光の強度が上がり、その結果として光熱変換面で発生する熱量が増加する。
【００２１】
画像投影システムは、ケース部材に覆われるようにカバー部材に取り付けられ、カバー部材を加熱するヒーターを有してもよい。ヒーターは補助的にカバー部材を加熱することにより、カバー部材への水滴の付着がより抑制される。
【００２２】
カバー部材が、断熱部材を介して天井材の裏側部分または壁材の裏側部分に取り付けられる場合、ヒーターは、カバー部材を挟んで断熱部材と対向しないように、カバー部材に取り付けられているのが好ましい。これにより、ヒーターの熱の断熱部材への移動を抑制でき、カバー部材を十分に温めることができる。
【００２３】
プロジェクタが、外部の空気を内部に取り込むための吸気口、および内部の空気を外部に排出するための排気口を備え、画像投影システムが、プロジェクタの排気口とケース部材の内部空間とを連絡して、プロジェクタからの排気をケース部材の内部空間に供給するダクト部材とを有してもよい。これにより、プロジェクタからの排気によってケース部材の内部空間を温めることができる。
【００２４】
プロジェクタが、ダクト部材の内部空間と連絡する排気口に対向する内部ファンを備えてもよい。これにより、ダクト部材を介してケース部材の内部空間により多くのプロジェクタの排気が供給される。その結果、カバー部材の結露の発生をより抑制することができる。
【００２５】
ダクト部材の入口にフィルタが設けられてもよい。これにより、ダクト部材を介して、ケース部材の内部空間へのほこりなどの侵入が抑制される。
【００２６】
ケース部材が、その内部空間と外部とを連絡し、ダクト部材を介して供給されたプロジェクタの排気を外部に排出するための出口を備え、そのケース部材の出口にフィルタが設けられてもよい。これにより、ケース部材の出口を介して、ケース部材の内部空間へのほこりなどの侵入が抑制される。
【００２７】
ダクト部材の入口の縁部とプロジェクタの排気口の縁部との間にシール部材が配置されてもよい。これにより、ダクト部材を介して、より多くのプロジェクタの排気がケース部材の内部空間に供給される。
【００２８】
画像投影システムが、出射部が外部に露出した状態でプロジェクタを収容して天井材または壁材の裏側に取り付けられるプロジェクタ取り付け部材を有してもよい。この場合、プロジェクタ取り付け部材が、その内部空間と外部とを連絡し、その内部空間に収容されたプロジェクタの吸気口に対向する部分に設けられる空気取り込み口を備えてもよい。これにより、プロジェクタ１２はほこりなどから保護されるとともに、プロジェクタ取り付け部材の空気取り込み口とプロジェクタの吸気口とを介して、プロジェクタ取り付け部材外部の空気をプロジェクタ内部に取り込むことができる。
【００２９】
プロジェクタ取り付け部材が、その内部空間と外部とを連絡する空気吹き出し口を備え、空気吹き出し口に対向するようにプロジェクタ取り付け部材に設けられ、プロジェクタ取り付け部材内の空気を外部に送風する外部ファンを有してもよい。これにより、プロジェクタ取り付け部材の内部の温度上昇が抑制され、その結果、プロジェクタが高温状態になることを十分に抑制することができる。
【００３０】
画像投影システムが、プロジェクタの温度を検出する温度センサと、温度センサの温度検出結果に基づいて外部ファンを制御する制御装置と、を有し、制御装置が、温度センサが所定の温度を超える温度を検出している間、外部ファンを駆動し続けてもよい。これにより、プロジェクタが高温状態になることを効率的に抑制することができる。
【００３１】
プロジェクタ取り付け部材が、不燃性材料または難燃性材料から作製されてもよい。これにより、浴室などの高温多湿の室内に画像をその室外に設置されたプロジェクタから投影する場合において、プロジェクタ内での湿気や粉じんによる短絡やその短絡による発火に十分に対策してプロジェクタを設置することができる。
【００３２】
ケース部材が、不燃性材料または難燃性材料から作製されてもよい。これにより、発火に対してさらに十分に対策することができる。
【００３３】
プロジェクタ取り付け部材とケース部材とが、一部品として一体化されてもよい。これにより、発火に対してよりさらに十分に対策することができる。
【００３４】
プロジェクタが、プロジェクタ取り付け部材の天板部に吊り下げ支持された状態で該プロジェクタ取り付け部材内に収容されてもよい。これにより、プロジェクタに湿気が侵入しにくくなる。
【００３５】
プロジェクタ取り付け部材に、プロジェクタの出射部が通過するプロジェクタ取り付け部材の貫通穴を介してケース部材の内部空間からプロジェクタ取り付け部材の内部空間への空気の流れを遮断するシール部材が配置されてもよい。これにより、ケース部材の内部空間からプロジェクタ取り付け部材の内部空間に湿気が戻ることが抑制される。
【００３６】
ケース部材の内面の少なくとも一部に、蓄光層が設けられてもよい。これにより、プロジェクタの投影が停止して浴室が真っ暗になっても、蓄光層の発光をたよりにしてユーザは浴室から安全に出ることができる。
【００３７】
また、本発明の別の態様である浴室は、画像投影システムを備える浴室であって、画像投影システムが、室内空間を画定する天井材または壁材の裏側に配置され、且つ、天井材または壁材に設けられた開口を介して室内に投影光を出射する出射部を備えるプロジェクタと、天井材または壁材の開口を塞ぎ、プロジェクタの投影光が透過するカバー部材と、プロジェクタの出射部とカバー部材とを覆い、且つ、プロジェクタの出射部から開口に向かう投影光が通過する内部空間を形成するケース部材とを有する。
【００３８】
このような構成によれば、浴室などの高温多湿の室内にその室外から画像を投影する場合において、良好な画像を投影することができる。
【００３９】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００４０】
なお、発明者らは、当業者が本開示を十分に理解するために添付図面及び以下の説明を提供するものであって、これらによって特許請求の範囲に記載の主題を限定することを意図するものではない。
【００４１】
（実施の形態１）
図１は、本発明の実施の形態１に係る浴室を概略的に示している。
【００４２】
図１に示すように、浴室１００は、天井材１０２と、複数の壁材１０４と、床材１０６とを有する。浴室１００の内部空間は、これらの天井材１０２、複数の壁材１０４、および床材１０６によって画定されている。
【００４３】
また、浴室１００は、１つの壁材１０４の表側部分に、画像Ｐを投影するように構成されている。なお、本明細書において、天井材１０２や壁材１０４の表側は浴室内側を言い、裏側は浴室外側を言う。
【００４４】
本実施の形態１の場合、図１に示すように、壁材１０４に向かって画像Ｐを投影する画像投影システム１０が、天井材１０２の裏側に配置されている。天井材１０２の裏側に配置された画像投影システム１０から浴室１００内に画像Ｐを投影するために、天井材１０２には開口１０２ａが設けられている。また、天井材１０２の裏側に画像投影システム１０を配置するために利用可能な点検口１０２ｂが、天井材１０２に設けられている。
【００４５】
図２は、浴室１００の天井材１０２の裏側に配置された画像投影システム１０を概略的に示している。また、図３は、図２に示すＡ−Ａ線に沿った画像投影システム１０の断面を示している。さらに、図４は、図２に示すＢ−Ｂ線に沿った画像投影システム１０の断面を示している。なお、図には、発明の理解を容易にするために、Ｘ−Ｙ−Ｚ座標系が示されている。Ｘ軸方向およびＹ軸方向は水平方向を示し、軸方向は鉛直方向を示している。
【００４６】
図３に示すように、画像投影システム１０は、投影光Ｌを浴室１００の壁材１０４に向かって出射する（画像Ｐを投影する）プロジェクタ１２と、プロジェクタ１２を天井材１０２に取り付けるためのプロジェクタ取り付け部材１４と、天井材１０２の開口１０２ａを塞ぐカバー部材１６と、カバー部材１６を覆うケース部材１８とを有する。
【００４７】
本実施の形態１の場合、図３に示すように、プロジェクタ取り付け部材１４は、内部にプロジェクタ１２を収容する蓋付きボックス状であって、天井材１０２の裏側部分１０２ｃに、例えば、ねじや接着剤などによって固定される。このプロジェクタ取り付け部材１４は、プロジェクタ１２を吊り下げ支持する蓋状の天板部２０と、プロジェクタ１２が通過する上部開口を備えて天板部２０を支持するベース部２２とを備える。
【００４８】
また、プロジェクタ取り付け部材１４のベース部２２は、投影光Ｌを出射するプロジェクタ１２の出射部１２ａが通過する貫通穴２２ａを備えている。
【００４９】
さらに、本実施の形態１の場合、プロジェクタ１２は、出射部１２ａが斜め下方向に向いた状態でプロジェクタ取り付け部材１４に支持されている。これにより、プロジェクタ１２は、天井材１０２の裏側から開口１０２ａを介して浴室１００内に向かって投影光Ｌを出射することができる。
【００５０】
このようなプロジェクタ取り付け部材１４によれば、プロジェクタ１２は、天井材１０２の裏側部分１０２ｃに取り付けられ、また、ほこりなどから保護される。また、プロジェクタ取り付け部材１４によって下側に傾いた姿勢で支持されることにより、プロジェクタ１２は、出射部１２ａから天井材１０２の開口１０２ａを介して浴室１００内に向かって投影光Ｌを出射することができる。
【００５１】
この天井材１０２の開口１０２ａは、天井材１０２の裏側に配置されたプロジェクタ１２から浴室１００内に画像Ｐを投影するためには必要である。しかし、開口１０２ａを通過して天井材１０２の裏側に移動した浴室１００内の湿気によってプロジェクタ１２に水滴が付着する可能性がある。特に、プロジェクタ１２の出射部１２ａに水滴が付着すると、浴室１００の壁材１０４の表側部分に良好な画像Ｐを投影することができない可能性がある。
【００５２】
プロジェクタ１２への水滴の付着を抑制するために、天井材１０２の開口１０２ａを塞ぐカバー部材１６が設けられている。
【００５３】
本実施の形態１の場合、図３に示すように、カバー部材１６は、天井材１０２の開口１０２ａを塞ぐように、天井材１０２の裏側部分１０２ｃに対してシール部材２４を介在した状態で取り付けられている。例えば、ねじや接着剤などによって天井材１０２にカバー部材１６は固定されている。
【００５４】
また、カバー部材１６は、天井材１０２の開口１０２ａに配置され、プロジェクタ１２の出射部１２ａから出射された投影光Ｌが透過する光透過部１６ａを備える。そのため、カバー部材１６は、少なくとも光透過部１６ａがガラスまたは樹脂材料から作製されている。
【００５５】
このようなカバー部材１６によれば、浴室１００から天井材１０２の裏側への蒸気の移動が抑制される。それにより、プロジェクタ１２への水滴の付着が抑制され、プロジェクタ１２は、カバー部材１６を介して、図１に示すように、浴室１００の壁材１０４の表側部分に良好な画像Ｐを投影することができる。
【００５６】
浴室１００の内部空間の温度が天井材１０２の裏側空間の温度に比べて高く、その温度差が大きい場合、カバー部材１６の浴室内側表面に結露が生じる、すなわち浴室内側表面に水滴が付着する場合がある。カバー部材１６の浴室内側表面に水滴が付着すると、その水滴によってプロジェクタ１２からの投影光Ｌが散乱し、浴室１００の壁材１０４の表側部分に良好な画像Ｐを投影できない可能性がある。
【００５７】
また、カバー部材１６の天井裏側の浴室外側表面には、時間の経過とともに、天井材１０２の裏側空間内のほこりや虫など付着しやすい。その付着したほこりなどにより、浴室１００の壁材１０４の表側部分に良好な画像Ｐを投影できない可能性がある。
【００５８】
そこで、カバー部材１６の浴室１００側の浴室内側表面での結露の発生を抑制するとともに、カバー部材１６の天井裏側の浴室外側表面へのほこりなどの付着を抑制するために、カバー部材１６を覆うケース部材１８が、天井材１０２の裏側に配置されている。
【００５９】
具体的には、ケース部材１８は、図２および図３に示すように、カバー部材１６を覆うように、またプロジェクタ１２の出射部１２ａを覆うように構成されて配置されている。また、ケース部材１８は、図３に示すように、プロジェクタ１２の出射部１２ａから天井材１０２の開口１０２ａに向かう投影光Ｌが通過し、天井材１０２の裏側空間から実質的に隔離された内部空間１８ａを形成する。すなわち、カバー部材１６の光透過部１６ａの天井裏側の浴室外側表面とプロジェクタ１２の出射部１２ａが、ケース部材１８の内部空間１８ａを臨んでいる。なお、本実施の形態１の場合、この内部空間１８ａは、図３に示すように、ケース部材１８と、カバー部材１６と、プロジェクタ取り付け部材１４とによって画定され、それにより天井材１０２の裏側空間から実質的に隔離されている。
【００６０】
液密な空間を実現するために、本実施の形態１の場合、ケース部材１８は、シール部材２６を介して、カバー部材１６の外周縁部に載置されて取り付けられている。また、ケース部材１８は、シール部材２８を介して、プロジェクタ取り付け部材１４に取り付けられている。
【００６１】
さらに、ケース部材１８は、内面（内部空間１８ａを臨む表面）に、プロジェクタ１２からの光を熱に変換する光熱変換面１８ｂを備える。なお、本明細書で言う「光熱変換」は、光を吸収して熱を発生させることを言う。
【００６２】
本実施の形態１の場合、ケース部材１８は黒色またはグレー色の樹脂から作製され、光熱変換面１８ｂはマット面で構成されている。これにより、光熱変換面１８ｂは、プロジェクタ１２からの光を吸収して熱を発生させる。
【００６３】
具体的に説明すると、図３に示すように、プロジェクタ１２の出射部１２ａから天井材１０２の開口１０２ａに向かって出射された投影光Ｌの一部は、カバー部材１６の光透過部１６ａの浴室外側表面で反射する。反射光Ｌ’は、ケース部材１８の内面、すなわち光熱変換面１８ｂに到達し、一部が熱に変換される。また、プロジェクタ１２の出射部１２ａから出射される投影光Ｌ以外の光、すなわち画像Ｐの投影に寄与しない散乱光が、光熱変換面１８ｂに到達して熱に変換される。
【００６４】
プロジェクタ１２からの光を光熱変換面１８ｂが熱に変換することにより、ケース部材１８の温度が上昇する。このとき、ケース部材１８の内部空間１８ａが実質的に密閉空間であるため、そのケース部材１８の内部空間１８ａの温度も上昇する。
【００６５】
ケース部材１８の内部空間１８ａの温度が上昇すると、浴室１００の内部空間とケース部材１８の内部空間１８ａとの間の温度差が小さくなり、浴室１００側のカバー部材１６の浴室内側表面での結露の発生が抑制される（ケース部材１８がない場合に比べて）。その結果、プロジェクタ１２は、カバー部材１６を介して、良好な画像Ｐを浴室１００の壁材１０４の表面に投影することができる。
【００６６】
なお、本実施の形態１の場合、図３および図４に示すように、ケース部材１８は、シール部材２６を介してカバー部材１６に取り付けられている。そのため、昇温したケース部材１８からカバー部材１６への熱の伝達が、シール部材２６が断熱材として機能することによって抑制されている。その結果、昇温したケース部材１８により、内部空間１８ａを効率よく温めることができる。したがって、シール部材２４は、ケース部材１８の内部空間１８ａを液密にシールするシール性のみならず、断熱性に優れたものが好ましい。
【００６７】
ただし、ケース部材１８の内部空間１８ａの乾燥を考慮して、図２や図４に示すように、ケース部材１８の側面１８ｃに、液体、ほこり、虫などの侵入を実質的に抑制できる複数の微小貫通穴からなる通気口１８ｄが設けられてもよい。これにより、ケース部材１８の内部空間１８ａ内での結露の発生を抑制することができる。
【００６８】
また、光熱変換面１８ｂは、ケース部材１８の内面全体に設けられてもよいし、または一部に設けられてもよい。図３に示すように、カバー部材１６からの反射光Ｌ’が当たるケース部材１８の内面部分に少なくとも光熱変換面１８ｂが配置される。
【００６９】
このようにプロジェクタ１２の光から変換された熱を利用したカバー部材１６の結露抑制をさらに効率よく行うために、プロジェクタ１２の投影光Ｌが入射するカバー部材１６の浴室外側表面は、平滑面が好ましい。これにより、カバー部材１６の浴室外側表面で反射されてケース部材１８の光熱変換面１８ｂに到達する反射光Ｌ’の強度が増加する。その結果、反射光Ｌ’が到達した光熱変換面１８ａで発生する熱量が増加する。
【００７０】
また、プロジェクタ１２の投影光Ｌが入射するカバー部材１６の浴室外側表面に、可視光線を選択的に透過して赤外線を反射する可視光線透過フィルムまたは可視光線透過膜を設けてもよい。
【００７１】
さらに、光熱変換効率を向上させるために、ケース部材１８の光熱変換面１８ｂは、平面よりは凹凸面が好ましい。これにより、光熱変換面１８ｂの表面積が増加して受光量が増加し、光熱変換面１８ｂは、より多くの熱を発生させることができる。
【００７２】
さらに、ケース部材１８の光熱変換面１８ｂは、ケース部材１８の内面に、カーボン粒子を含む光熱変換フィルムまたは光熱変換膜を設けることによって構成されてもよい。すなわち、本発明の実施の形態１において、ケース部材１８の光熱変換面１８ｂは、光を熱に変換できる表面であればよい。
【００７３】
このようなケース部材１８によれば、浴室１００側のカバー部材１６の浴室内側表面での結露を抑制するとともに、カバー部材１６の天井裏側の浴室外側表面へのほこりなどの付着を抑制することができる。
【００７４】
例えば、気温が極端に低い場合や冷間地の場合、浴室１００の内部空間と天井材１０２の裏側空間との間の温度差が極端に大きい場合がある。その場合、プロジェクタ１２の光から変換された熱だけでは、カバー部材１６の結露が十分に抑制されるまでに時間がかかる可能性がある。
【００７５】
気温が極端に低い場合などにカバー部材１６の結露抑制をすばやくかつ十分に実行するために、図３および図４に示すように、本実施の形態の画像投影システム１０は、カバー部材１６を加熱するためのヒーター３０を有する。
【００７６】
本実施の場合、ヒーター３０は、面ヒーターであって、例えば、電熱ヒーターまたはＰＴＣ（Ｐｏｓｉｔｉｖｅ  Ｔｅｍｐｅｒａｔｕｒｅ  Ｃｏｅｆｆｉｃｉｅｎｔ）ヒーターである。
【００７７】
また、ヒーター３０は、図３および図４に示すように、ケース部材１８に覆われるように、すなわちケース部材１８の内部空間１８ａ内に位置するようにカバー部材１６に取り付けられている。具体的には、カバー部材１６を上方から見た図５に示すように、ケース部材１８の内部空間１８ａを臨むカバー部材１６の浴室外側表面上に、且つ、カバー部材１６の光透過部１６ａを囲むように、環状のヒーター３０が取り付けられている。
【００７８】
このようなヒーター３０によれば、カバー部材１６が直接的に加熱される。それにより、ヒーター３０は、少ない供給電力でカバー部材１６全体を昇温することができ、浴室１００側の光透過部１６ａの浴室内側表面に付着した水滴を気化することができる。
【００７９】
また、ヒーター３０が、ケース部材１８によって覆われているために、ヒーター３０の熱が、天井材１０２の裏側空間（ケース部材１８の内部空間を除く）に無制限に移動せず、カバー部材１６の加熱に効率的に使用される。それにより、ヒーター３０は、少ない電力で、結露を抑制することができる温度にカバー部材１６を昇温することができる。なお、ヒーター３０の熱の一部は、その周囲のケース部材１８の内部空間１８ａの加熱に使用される。
【００８０】
さらに、本実施の形態１の場合、カバー部材１６は、シール部材２４を介して天井材１０２の裏側部分１０２ｃに取り付けられている。このシール部材２４が断熱材として機能し、カバー部材１６から熱容量が大きい天井材１０２への熱の移動が抑制される。それにより、ヒーター３０は、少ない電力で、結露を抑制することができる温度にカバー部材１６を昇温することができる。
【００８１】
なお、ヒーター３０は、効率的にカバー部材１６を加熱するために、ケース部材１８やシール部材２６から離れた状態でカバー部材１６に取り付けられるのが好ましい。すなわち、ヒーター３０とケース部材１８との間の接触面積およびヒーター３０とシール部材２６との間の接触面積は、可能であればゼロ、そうでなければ可能な限り小さい方が好ましい。これにより、ヒーター３０の熱が、ケース部材１８やシール部材２６に直接的に移動せず、カバー部材１６に直接的に移動する。その結果、ヒーター３０は、少ない電力で、結露を抑制することができる温度にカバー部材１６を昇温することができる。
【００８２】
また、図５に示す環状の１つのヒーター３０に代わって、複数の矩形状のヒーター３０が光透過部１６ａを囲むようにカバー部材１６に取り付けられてもよい。
【００８３】
さらに、ヒーター３０をプロジェクタ１２からの投影光Ｌが透過可能な透明電極パターンで構成し、透明電極パターンが光透過部１６ａを含むカバー部材１６全体に形成されてもよい。
【００８４】
以上、このような本実施の形態１によれば、高温多湿な浴室１００にその室外から画像Ｐを投影する場合において、良好な画像Ｐを投影することができる。すなわち、天井材１０２の裏側に配置されたプロジェクタ１２の水滴が付着していない出射部１２ａから、結露の発生が抑制されるとともにほこりなどの付着が抑制されたカバー部材１６を介して、浴室１００の壁材１０４の表側部分に、良好な画像Ｐが投影される。
【００８５】
（実施の形態２）
本実施の形態２は、上述の実施の形態１と異なる方法で、カバー部材に発生する結露を抑制する。そのための構成要素を中心にして、本実施の形態２を説明する。なお、上述の実施の形態１の構成要素と実質的に同一な本実施の形態２の構成要素には、同一の符号が付されている。
【００８６】
図６および図７は、異なる方向から見た斜視図であって、浴室１００の天井材１０２の裏側に配置された本実施の形態２に係る画像投影システム２１０を概略的に示している。また、図８は、図６に示すＣ−Ｃ線に沿った画像投影システム２１０の断面を示している。さらに、図９は、画像投影システム２１０の内部構成を示す上方視断面図である。
【００８７】
図８に示すように、画像投影システム２１０は、投影光Ｌを浴室１００の壁材１０４に向かって出射する（画像Ｐを投影する）プロジェクタ１２と、プロジェクタ１２を天井材１０２に取り付けるためのプロジェクタ取り付け部材２１４と、天井材１０２の開口１０２ａを塞ぐカバー部材２１６と、カバー部材２１６を覆うケース部材２１８とを有する。
【００８８】
本実施の形態２の場合、図８に示すように、プロジェクタ取り付け部材２１４は、その内部空間２１４ａにプロジェクタ１２を収容することができる蓋付きボックス状の部材である。本実施の形態２の場合、プロジェクタ取り付け部材２１４はまた、不燃性材料または難燃性材料から作製されている。
【００８９】
本明細書で言う「不燃性材料」は、着火しない材料であって、例えばアルミニウム材料やステンレス材料などの金属材料を言う。また、「難燃性材料」は、着火しにくく、着火してもその燃焼速度が非常に遅い材料を言い、例えば難燃プラスチック材料などがある。
【００９０】
このプロジェクタ取り付け部材２１４は、プロジェクタ１２を吊り下げ支持する蓋状の天板部２２０と、プロジェクタ１２が通過する上部開口を備えて天板部２２０を支持するベース部２２２とを備える。
【００９１】
また、プロジェクタ取り付け部材２１４のベース部２２２は、投影光Ｌを出射するプロジェクタ１２の出射部１２ａが通過する貫通穴２２２ａを備えている。
【００９２】
プロジェクタ１２外側表面への水滴の付着を抑制するために、また、プロジェクタ１２の内部への湿気の侵入を抑制するために、天井材１０２の開口１０２ａを塞ぐカバー部材２１６が設けられている。プロジェクタ１２の内部に大量の湿気が侵入すると、詳細は後述するが内部の電気回路などに短絡が生じうる。
【００９３】
カバー部材２１６は、プロジェクタ１２の出射部１２ａから出射された投影光Ｌが透過するように、ガラス材料または樹脂材料から作製されている。
【００９４】
このようなカバー部材２１６によれば、浴室１００から天井材１０２の裏側への湿気の移動が抑制される。それにより、プロジェクタ１２外側表面への水滴の付着が抑制される。また、プロジェクタ１２の内部への湿気の侵入が抑制される。
【００９５】
また、上述の実施の形態１と同様に、カバー部材２１６の浴室内側表面２１６ａでの結露の発生を抑制するとともに、カバー部材２１６の浴室外側表面２１６ｂへのほこりなどの付着を抑制するために、カバー部材２１６を覆うケース部材２１８が、天井材１０２の裏側に配置されている。
【００９６】
本実施の形態２の場合、ケース部材２１８は、プロジェクタ取り付け部材２１４と同様に、不燃性材料または難燃性材料から作製されている。
【００９７】
具体的には、ケース部材２１８は、図６〜図８に示すように、カバー部材２１６を覆うように、またプロジェクタ１２の出射部１２ａを覆うように構成されて配置されている。また、ケース部材２１８は、図８に示すように、プロジェクタ１２の出射部１２ａから天井材１０２の開口１０２ａに向かう投影光Ｌが通過し、天井材１０２の裏側空間から実質的に隔離された内部空間２１８ａを形成する。すなわち、カバー部材２１６の浴室外側表面２１６ｂとプロジェクタ１２の出射部１２ａが、ケース部材２１８の内部空間２１８ａを臨んでいる。
【００９８】
このようなケース部材２１８によれば、まず、カバー部材２１６の浴室外側表面２１６ｂへのほこりなどの付着が、ケース部材２１８がない場合に比べて抑制される。
【００９９】
また、ケース部材２１８の内部空間２１８ａは、天井材１０２の裏側空間から空間的に隔離されているだけでなく、熱的にも隔離される。この熱的に隔離されているケース部材２１８の内部空間２１８ａを温めることによってカバー部材２１６の浴室内側表面２１６ａでの結露の発生を抑制するように、本実施の形態２に係る画像投影システム２１０は構成されている。
【０１００】
具体的には、画像投影システム２１０は、図６および図７に示すように、プロジェクタ取り付け部材２１４内に収容されているプロジェクタ１２からの排気をケース部材２１８の内部空間２１８ａ内に供給するためのダクト部材２３０を有する。
【０１０１】
図９は、画像投影システム２１０内の空気の流れを示す、画像投影システム２１０の内部構成を示す上方視断面図である。図において、空気の流れは、白抜矢印で示されている。
【０１０２】
プロジェクタ１２からの排気をケース部材２１８の内部空間２１８ａに供給するダクト部材２３０を説明する前に、そのプロジェクタ１２について簡単に説明する。
【０１０３】
図９に示すように、プロジェクタ１２は、その筐体１２ｂ内に画像を投影するための光学系１２ｃを収容している。光学系１２ｃは、例えば、光源１２ｄ、複数のミラー１２ｅ、複数のダイクロイックミラー１２ｆ、ダイクロイックプリズム１２ｇ、複数の透過型液晶パネル１２ｈを含んでいる。また、筐体１２ｂ内には、光源１２ｄや透過型液晶パネル１２ｈを制御する制御装置１２ｊが搭載されている。制御装置１２ｊは、例えば、基板に搭載されたＣＰＵ、メモリ、回路などによって構成されている。
【０１０４】
使用中において、プロジェクタ１２の筐体１２ｂの内部温度は、時間の経過とともに、光源１２ｄ、制御装置１２ｊなどから発生した熱によって上昇する。その温度上昇を抑制するために、本実施の形態２の場合、筐体１２ｂには、外部の空気を内部に取り込むための吸気口１２ｋと、内部の空気を外部に排出するための第１および第２の排気口１２ｍ、１２ｎとを備える（プロジェクタ１２の概略的斜視図である図１０および図１１参照）。また、筐体１２ｂ内の温度を検出する温度センサ１２ｐが、筐体１２ｂ内に設けられている。温度センサ１２ｐの検出温度は、信号として制御装置１２ｊに送信される。
【０１０５】
図９に示すように、吸気口１２ｋと第１および第２の排気口１２ｍ、１２ｎとは、プロジェクタ１２の筐体１２ｂの幅方向（Ｘ軸方向）に対向するように該筐体１２ｂに形成されている。
【０１０６】
また、本実施の形態２の場合、図９に示すように、プロジェクタ１２の筐体１２ｂ内には、第１の排気口１２ｍに対向するように配置され、筐体１２ｂ内の空気を第１の排気口１２ｍを介して外部に送風する内部ファン１２ｑが設けられている。この内部ファン１２ｑは、制御装置１２ｊによって制御され、温度センサ１２ｐの検出温度に基づいた回転数で回転する。これに代わって、内部ファン１２ｑは、プロジェクタ１２の稼動中、一定の回転速度で回転し続けてもよい。このような内部ファン１２ｑにより、プロジェクタ１２内が冷却されるとともに、プロジェクタ１２内が換気されて湿気が留まることが抑制される。
【０１０７】
このようなプロジェクタ１２が、図９に示すように、画像投影システム１０のプロジェクタ取り付け部材２１４内に収容されている。その収容されたプロジェクタ１２が、プロジェクタ取り付け部材２１４の外部の空気を吸気できるように、プロジェクタ取り付け部材２１４は複数の空気取り込み口２２２ｂを備える。
【０１０８】
具体的には、図７に示すように、複数の空気取り込み口２２２ｂは、プロジェクタ取り付け部材２１４のベース部２２２に形成されている。また、図９に示すように、空気取り込み口２２２ｂは、プロジェクタ取り付け部材２１４の内部空間２１４ａと外部とを連絡し、プロジェクタ１２の吸気口１２ｋと対向している。
【０１０９】
なお、図５に示すように、対向し合うプロジェクタ取り付け部材２１４の空気取り込み口２２２ｂとプロジェクタ１２の吸気口１２ｋは、可能な限り接近するのが好ましい。これにより、プロジェクタ１２の発熱によって温められたプロジェクタ取り付け部材２１４内の空気が、プロジェクタ１２の吸気口を介して該プロジェクタ１２内に流入することが抑制される。すなわち、相対的に低温の外部の空気Ｆ１が、相対的に高温のプロジェクタ取り付け部材２１４内の空気に比べて多くプロジェクタ１２内に流入する。
【０１１０】
図９に示すように、吸気口１２ｋを介してプロジェクタ１２内に流入した空気は、光学系１２ｃや制御装置１２ｊを冷却する。本実施の形態２の場合、冷却後の高温の空気の多く（空気Ｆ２）は、内部ファン１２ｑによって第１の排気口１２ｍを介して、プロジェクタ１２の筐体１２ｂの外部に排出される。残り（空気Ｆ３）は、第２の排気口１２ｎを介して、プロジェクタ取り付け部材２１４の内部空間２１４ａに排出される。
【０１１１】
図９に示すように、第１の排気口１２ｍを介して排出された高温の空気Ｆ２はダクト部材２３０の内部空間２３０ａ内に流入する。ダクト部材２３０は、その内部空間２３０ａを介して、プロジェクタ１２の第１の排気口１２ｍとケース部材２１８の内部空間２１８ａを連絡している。そのために、ダクト部材２３０の一部が、プロジェクタ取り付け部材２１４の内部空間２１４ａ内に進入している。それにより、ダクト部材２３０の内部空間２３０ａに流入した高温の空気Ｆ２は、ケース部材２１８の内部空間２１８ａに供給される。
【０１１２】
ケース部材２１８の内部空間２１８ａ内に流入した高温の空気Ｆ２により、ケース部材２１８の内部空間２１８ａ内の空気が温められる。それにより、浴室１００とケース部材２１８の内部空間２１８ａとの間の温度差が、プロジェクタ１２からの排気がケース部材２１８内に供給されない場合に比べて小さくなる。すなわち、カバー部材２１６の浴室内側表面２１６ａと浴室外側表面２１６ｂとの温度差が小さくなる。その結果、カバー部材２１６の浴室内側表面２１６ａでの結露の発生が抑制される。
【０１１３】
ケース部材２１８の内部空間２１８ａを温めた後の空気Ｆ２’は、ケース部材２１８に形成された出口２１８ｂを介して外部に排出される。
【０１１４】
このような構成により、カバー部材２１６の浴室内側表面２１６ａでの結露の発生を抑制するとともに、カバー部材２１６の浴室外側表面２１６ｂへのほこりなどの付着を抑制することができる。それに加えて、画像投影システム２１０の内部を十分に換気することができ、画像投影システム２１０の内部（プロジェクタ１２の内部も含む）に湿気が留まることが抑制される。その結果、プロジェクタ１２の制御基板１２ｊ上の電気回路などの湿気による短絡に対して十分に対策することができる。
【０１１５】
この結露の発生とほこりなどの付着をさらに抑制するために、また、湿気による短絡をさらに抑制するために、以下のような構成を、本実施の形態２の画像投影システム２１０は備えている。
【０１１６】
まず、図９に示すように、プロジェクタ取り付け部材２１４（すなわちプロジェクタ１２）、ダクト部材２３０、ケース部材２１８と順に通過する空気の流れ（白抜き矢印に示す流れ）に同伴してほこりなどがケース部材２１８の内部空間２１８ａ内に侵入する可能性がある。その侵入を抑制するために、ほこりなどを捕獲するフィルタ２３２が、ダクト部材２３０の入口２３０ｂに設けられている。このフィルタ２３２は、ダクト部材２３０の入口２３０ｂ全体を覆うように設けられている。これにより、プロジェクタ１２の第１の排気口１２ｍから流出する空気Ｆ２は、フィルタ２３２を通過してダクト部材２３０の内部空間２３０ａに流入する。その結果、空気Ｆ２に同伴するほこりなどがフィルタ２３２によって捕獲され、ケース部材２１８の内部空間２１８ａ内へのほこりなどの侵入が抑制される。
【０１１７】
なお、フィルタ２３２を、ダクト部材２３０の入口２３０ｂに代わって、ダクト部材２３０の出口２３０ｃに設けてもよい。あるいは、ダクト部材２３０の出口２３０ｃと接続するケース部材２１８の入口２１８ｃにフィルタ２３２を設けてもよい。
【０１１８】
同様に、図９に示すように、ケース部材２１８の出口２１８ｂにも、その全体を覆うフィルタ２３４が設けられている。これにより、画像投影システム２１０の停止中に、出口２１８ｂを介してケース部材２１８の内部空間２１８ａ内へのほこりなど（特に虫）の侵入が抑制される。
【０１１９】
このようなフィルタ２３２、２３４により、ケース部材２１８の内部空間２１８ａ内へのほこりなどの侵入がさらに抑制される。
【０１２０】
カバー部材２１６の結露をさらに抑制するために、図９に示すように、ダクト部材２３０の入口２３０ｂの縁部とプロジェクタ１２の第１の排気口１２ｍの縁部との間に、シール部材２３６が配置されている。シール部材２３６は、例えばシリコンゴムなどの環状の部材である。このシール部材２３６は、プロジェクタ１２の第１の排気口１２ｍからダクト部材２３０の入口２３０ｂに向かう該プロジェクタ１２の高温の排気（空気Ｆ２）がプロジェクタ取り付け部材２１４の内部空間２１４ａに漏れ出ることを抑制している。それにより、プロジェクタ１２からの高温の空気Ｆ２が、ダクト部材２３０を介して、ケース部材２１８の内部空間２１８ａに無駄なく供給される。その結果、カバー部材２１６の結露をさらに抑制することができる（シール部材２３６がない場合に比べて）。
【０１２１】
なお、シール部材２３６により、プロジェクタ１２の第１の排気口１２ｍから流出した高温の空気Ｆ２が、プロジェクタ取り付け部材２１４の内部空間２１４ａを介して、プロジェクタ１２の吸気口１２ｋに戻ることが抑制される。プロジェクタ１２の第１の排気口１２ｍから流出した高温の空気Ｆ２が吸気口１２ｋを介して筐体１２ｂ内に再び取り込まれると、その筐体１２ｂ内の光学系１２ｃや制御装置１２ｊを十分に冷却できない。すなわち、シール部材２３６は、プロジェクタ１２の冷却性を維持する役割も果たしている。また、プロジェクタ１２の第１の排気口１２ｍから排気された湿気や熱が再びプロジェクタ１２に戻ることも抑制している。その結果、プロジェクタ１２内の湿度や温度が低く維持される。
【０１２２】
図９に示すように、シール部材２３６と同様のシール部材２３８が、ダクト部材２３０の出口２３０ｃの縁部とケース部材２１８の入口２１８ｃの縁部との間に設けられている。このシール部材２３８は、ダクト部材２３０の出口２３０ｃからケース部材２１８の入口２１８ｃに向かう高温の空気Ｆ２が外部（天井材１０２の裏側空間）に漏れ出ることを抑制している。それにより、ダクト部材２３０を介するプロジェクタ２１２からの高温の空気Ｆ２が、ケース部材２１８の内部空間２１８ａに無駄なく供給される。その結果、カバー部材２１６の結露をさらに抑制することができる（シール部材２３８がない場合に比べて）。
【０１２３】
シール部材に関して言えば、ケース部材２１８内の空気が、プロジェクタ取り付け部材２１４の貫通穴２２２ａ（プロジェクタ１２の出射部１２ａが通過する穴）を介して該プロジェクタ取り付け部材２１４の内部空間２１４ａ内に侵入しないように、シール部材２４０が設けられている。シール部材２４０は、プロジェクタ取り付け部材２１４のベース部２２２の貫通穴２２２ａの縁部とプロジェクタ１２の筐体１２ｂとの間に設けられている。
【０１２４】
このシール部材２４０により、プロジェクタ取り付け部材２１４の内部空間２１４ａ、ダクト部材２３０の内部空間２３０ａ、およびケース部材２１８の内部空間２１８ａを空気が繰り返しループすることが抑制される。このような空気のループが発生すると、プロジェクタ取り付け部材２１４の内部空間２１４ａの温度が時間の経過とともに上昇し、そこに収容されているプロジェクタ１２を十分に冷却できない恐れがある。また、空気のループに同伴して湿気もループするので、それにより、プロジェクタ取り付け部材２１４内のプロジェクタ１２内が高湿度状態で維持される恐れがある。
【０１２５】
また、図６〜図８に示すように、ケース部材２１８と天井材１０２の裏側部分１０２ｃとの間にも環状のシール部材２４２が設けられている。このシール部材２４２は、ケース部材２１８と天井材１０２との間の隙間からケース部材２１８内の空気Ｆ２が外部（天井材１０２の裏側空間）に漏れ出ることを抑制している。その結果、カバー部材２１６の結露をさらに抑制することができる（シール部材２４２がない場合に比べて）。
【０１２６】
さらに、図８および図９に示すように、ケース部材２１８は、内面（内部空間２１８ａを臨む表面）に、例えばポリスチレンフォームなどの黒色の断熱材２４４が貼り付けられている。これにより、ケース部材２１８の内部空間２１８ａの温度低下を抑制することができる。その結果、カバー部材２１６の結露をさらに抑制することができる（断熱材２４４がない場合に比べて）。なお、ダクト部材２３０の内部空間２３０ａを移動中の空気Ｆ２の温度が低下しないように、ダクト部材２３０の内面にも同様の断熱材を設けてもよい。
【０１２７】
さらにまた、図９に示すように、プロジェクタ１２は、プロジェクタ取り付け部材２１４の内部空間２１４ａに収容されている。そのため、プロジェクタ１２からの発熱によってプロジェクタ取り付け部材２１４の内部空間２１４ａ内の温度は、プロジェクタ１２の稼働時間にともなって上昇する。そのプロジェクタ取り付け部材２１４の内部空間２１４ａの温度上昇によってプロジェクタ１２を内部ファン１２ｑによって十分に冷却できない可能性がある。すなわち、プロジェクタ取り付け部材２１４の内部空間２１４ａおよびプロジェクタ１２の内部が高温多湿な状態になりうる。
【０１２８】
その対処として、図６および図９に示すように、プロジェクタ取り付け部材２１４の内部空間２１４ａの高温の空気を排気するために、それとともに湿気を排出するために、外部ファン２４６がプロジェクタ取り付け部材２１４に設けられている。図９に示すように、プロジェクタ取り付け部材２１４のベース部２２２に、内部空間２１４ａと外部とを連絡する空気吹き出し口２２２ｃが形成されている。この空気吹き出し口２２２ｃに対向するように、外部ファン２４６がプロジェクタ取り付け部材２１４に設けられている。プロジェクタ１２の稼動中に外部ファン２４６が回転してプロジェクタ取り付け部材２１４の内部空間２１４ａ内の空気を外部に送風することにより、プロジェクタ取り付け部材２１４の温度が低温で維持される。
【０１２９】
本実施の形態２の場合、外部ファン２４６のＯＮ−ＯＦＦ制御は、プロジェクタ１２の温度に基づいて実行される。例えば、プロジェクタ１２に搭載された温度センサ１２ｐの温度検出結果に基づいて、制御装置１２ｊが外部ファン２４６を外部制御する。制御装置１２ｊは、温度センサ１２ｐが所定の温度を超える温度を検出している間、外部ファン２４６を駆動し続ける。なお、温度センサ１２ｐの検出温度の変化にともない、外部ファン２４６の回転数を変更してもよい。これにより、プロジェクタ取り付け部材２１４内の温度上昇を効率的に抑制することができ、プロジェクタ１２は、内部ファン１２ｑによって十分に冷却される。
【０１３０】
図９に示すように、本実施の形態２の場合、空気取り込み口２２２ｂからプロジェクタ取り付け部材２１４の内部空間２１４ａに取り込まれた空気（空気Ｆ１）は、Ｕターンしてケース部材２１８の出口２１８ｂから外部に排出される（空気Ｆ２’）。すなわち、空気取り込み口２２２ｂと出口２１８ｂの両方が、画像投影システム２１０の幅方向（Ｘ軸方向）の一方側に設けられている。そのため、プロジェクタ１２によって温められて出口２１８ｂから外部に出た高温の空気Ｆ２’が、再び、空気取り込み口２２２ｂを介してプロジェクタ取り付け部材２１４内に取り込まれる可能性がある。また、その結果として、一度排出された湿気が再びプロジェクタ取り付け部材２１４内に取り込まれる可能性がある。
【０１３１】
その対処として、本実施の形態２の場合、空気取り込み口２２２ｂと出口２１８ｂが、画像投影システム２１０の幅方向（Ｘ軸方向）にずれて設けられている。特に、空気取り込み口２２２ｂに流入する空気Ｆ１の上流側に、また、その空気取り込み口２２２ｂから離れるように、出口２１８ｂが設けられている。これにより、空気取り込み口２２２ｂと出口２１８ｂとが幅方向にずれずに奥行き方向（Ｙ軸方向）並ぶ場合に比べて、または、出口２１８ｂから流出する空気Ｆ２’の下流側に空気取り込み口２２２ｂが存在する場合に比べて、出口２１８ｂから流出した空気Ｆ２’および湿気が再び空気取り込み口２２２ｂを介してプロジェクタ取り付け部材２１４内に取り込まれることが抑制される。
【０１３２】
加えて、図８に示すように、プロジェクタ１２は、プロジェクタ取り付け部材２１４の内部空間２１４ａ内において、その天板部２２０に吊り下げ支持されている。そのため、湿気が留まりやすいプロジェクタ取り付け部材２１４の内部空間２１４ａの下部から離れている。その結果、プロジェクタ１２内に湿気が侵入しにくい。
【０１３３】
以上、このような本実施の形態２によれば、高温多湿な浴室１００にその室外から画像Ｐを投影する場合において、良好な画像Ｐを投影することができる。すなわち、天井材１０２の裏側に配置されたプロジェクタ１２の水滴が付着していない出射部１２ａから、結露の発生が抑制されるとともにほこりなどの付着が抑制されたカバー部材２１６を介して、浴室１００の壁材１０４の表側部分に、良好な画像Ｐが投影される。
【０１３４】
また、これまで説明してきたように、本実施の形態２の画像投影システム２１０は、プロジェクタ１２内に湿気が留まることを抑制する様々な構成を備えている。それにより、プロジェクタ１２の制御基板１２ｊ上の電気回路などの湿気による短絡を抑制している。それに加えて、短絡による発火を抑制する構成も、画像投影システム２１０は備えている。
【０１３５】
具体的には、万が一の短絡による発火に対策するために、上述したように、プロジェクタ取り付け部材２１４が不燃性材料または難燃性材料から作製されている。このようなプロジェクタ取り付け部材２１４内に収容されることにより、万が一プロジェクタ１２が短絡を原因として発火しても延焼は抑制される。
【０１３６】
また、本実施の形態２の場合、ケース部材２１８も、プロジェクタ取り付け部材２１４と同様に、不燃性材料または難燃性材料から作製されている。これは、図８に示すように、プロジェクタ１２の出射部１２ａが通過するプロジェクタ取り付け部材２１４の貫通穴２２２ａを介してケース部材２１８の内部空間２１８ａに延焼が拡がる可能性があるからである。その内部空間２１８ａ内に延焼が拡がっても、ケース部材２１８によってそれ以上の延焼が抑制される。
【０１３７】
このような構成により、高温多湿の浴室１００に画像Ｐをその室外に設置されたプロジェクタ１２から投影する場合において、プロジェクタ１２内での湿気による短絡やその短絡による発火に十分に対策して該プロジェクタ１２を設置することができる。
【０１３８】
なお、プロジェクタ取り付け部材２１４とケース部材２１８は、ともに不燃性材料または難燃性材料から作製されている別部材である。これに代わって、プロジェクタ取り付け部材２１４とケース部材２１８とが、一部品として一体化されてもよい。この場合、これらの部材が別々の部材である場合に比べて、延焼の抑制能力が向上する。すなわち、別々の部材の場合、相対的に燃焼しやすい一方の部材が集中的に発火によって先に損傷し、他方がほとんど損傷していないにも関わらず、外部に延焼が拡がる可能性がある。これに対して、一部品として一体化されている場合、プロジェクタ取り付け部材２１４とケース部材２１８とが、ほぼ同一の速度で損傷していくために、外部に延焼が拡がるまでに時間がかかる。すなわち、より延焼を抑制することができる。
【０１３９】
以上、上述の実施の形態を挙げて本発明を説明したが、本発明は上述の実施の形態に限定されない。
【０１４０】
例えば、上述の実施の形態１の場合、図４に示すように、ヒーター３０は、カバー部材１６を介してシール部材２４と対向している（鉛直方向（Ｚ軸方向）に対向している）。この場合、カバー部材１６やシール部材２４の種類によっては、ヒーター３０からカバー部材１６の部分に移動した熱の多くが、シール部材２４に移動する可能性がある。その結果、カバー部材１６が結露の発生を抑制することができる温度に昇温するまでに時間がかかり、ヒーター３０が多くの電力を消費する可能性がある。
【０１４１】
このヒーターの熱のシール部材への移動について対処する別の実施の形態に係る画像投影システム２１０の一部が図１２に示されている。なお、図１２においては、上述の実施の形態１の構成要素と同一の構成要素には同一の符号が付されている。
【０１４２】
図１２に示す別の実施の形態に係る画像投影システム３１０では、カバー部材１６と天井材１０２との間をシールするシール部材３２４とヒーター３０は、カバー部材１６を挟んで対向していない。すなわち、カバー部材１６と天井材１０２との間の空気層Ｒが、カバー部材１６を挟んでヒーター３０と対向している。
【０１４３】
そのため、ヒーター３０がカバー部材１６を挟んでシール部材２４と対向する場合に比べて、ヒーター３０からカバー部材１６を介してシール部材２４に移動する熱量が少ない。その結果、ヒーター３０は、少ない電力で、カバー部材１６を結露の発生を抑制することができる温度にすばやく昇温することができる。
【０１４４】
また、例えば、上述の実施の形態１の場合、図４に示すように、ケース部材１８は、カバー部材１６上に載置された状態で、カバー部材１６を覆っている。すなわち、カバー部材１６の一部が、天井材１０２の裏側空間（ケース部材１８の内部空間１８ａを除く）に露出している。
【０１４５】
これに代わって、さらに別の実施の形態に係る画像投影システム４１０の一部を示す図１３に示すように、ケース部材４１８が、カバー部材１６全体を覆うように構成されてもよい。なお、図１３においては、上述の実施の形態の構成要素と同一の構成要素には同一の符号が付されている。
【０１４６】
この場合、図１３に示すように、ケース部材４１８は、カバー部材１６ではなく、天井材１０２の裏側部分１０２ｃに、シール部材４２６を介して取り付けられる。
【０１４７】
さらに、上述の実施の形態１および２の場合、図３および図８に示すように、プロジェクタ取り付け部材１４（２１４）、カバー部材１６（２１６）、およびケース部材１８（２１８）は、別体であるが、これらの少なくとも２つは一部品として一体化されてもよい。この場合、これらの間に配置されるシール部材を省略することができる。
【０１４８】
さらにまた、上述の実施の形態１および２の場合、図３および図８に示すように、カバー部材１６（２１６）は、天井材１０２の裏側部分１０２ｃに取り付けられているが、これに代わって、カバー部材は、浴室１００を臨む天井材１０２の表側部分に取り付けられてもよい。
【０１４９】
加えて、上述の実施の形態２の場合、図９に示すように、ダクト部材２３０の内部空間２３０ａからケース部材２１８の内部空間２１８ａ内に向かう空気Ｆ２の流れは、プロジェクタ１２の内部ファン１２ｑによって発生する。この内部ファン１２ｑに代わってまたは加えて、さらなるファンを、例えば、ダクト部材２３０とケース部材２１８との間、または、ケース部材２１８の出口２１８ｂに設けてもよい。
【０１５０】
ファンに関して言えば、図９に示すように、外部からプロジェクタ取り付け部材２１４の内部空間２１４ａに向かう空気Ｆ１の流量を増加させるために、外部ファン２４６に加えてまたは代わって、さらなるファンをプロジェクタ取り付け部材２１４の空気取り込み口２２２ｂに設けてもよい。
【０１５１】
また、外部ファン２４６を省略することも可能である。例えば、プロジェクタ取り付け部材２１４の内部空間２１４ａの容積がプロジェクタ１２に体積に比べて十分大きい、またはプロジェクタ取り付け部材２１４が放熱性が高い材料（例えばアルミニウム材料）から作製されているなどの場合、外部ファン２４６を省略可能である。
【０１５２】
この外部ファン２４６は、上述の実施の形態２の場合、プロジェクタ１２の温度を検出する温度センサ１２ｐの温度検出結果に基づいてＯＮ−ＯＦＦ制御される。これに代わって、プロジェクタ１２が動作している間、外部ファン２４６は常に駆動していてもよい。
【０１５３】
加えて、上述の実施の形態１および２の場合、図３および図８に示すように、プロジェクタ１２の出射部１２ａから出射された投影光Ｌが、天井材１０２の開口１０２ａを通過して（カバー部材１６（２１６）を透過して）浴室１００内に向かう。しかしながら、本発明の実施の形態は、これに限らない。例えば、天井裏側に配置されたプロジェクタから出射された投影光が、天井裏側に配置されたミラーによって反射され、反射光が浴室内に向かってもよい。この場合、ミラーは、ケース部材の内部空間内に配置される。
【０１５４】
加えてまた、画像投影システムにおけるケース部材の内面の少なくとも一部に、蓄光層が設けられてもよい。図１に示すように画像投影システムのプロジェクタが浴室内に画像を投影するとき、浴室内の照明はＯＦＦにされている。その状態で、ユーザの操作や故障などによってプロジェクタが投影を停止すると、浴室内が真っ暗になる。そこで、プロジェクタが投影を停止しても、ユーザが浴室から安全に出ることができるように、蓄光層がケース部材の内面の少なくとも一部に設けられる。
【０１５５】
蓄光層は、例えば蓄光塗料や蓄光シートであって、プロジェクタが投影している間に、投影光の一部を蓄える。例えば、プロジェクタからケース部材の内面に直接的に到達した投影光の一部、または、プロジェクタから出射されてカバー部材でケース部材内に反射された投影光の一部を蓄光層は蓄える。蓄光層が光を蓄えた状態でプロジェクタが投影を停止すると、蓄光層は発光し、その光の一部がカバー部材を介して浴室内に漏れる。その結果、蓄光層からの光をたよりにしてユーザは浴室から安全に出ることができる。
【０１５６】
なお、上述の実施の形態１および２の場合、図３、図８、および図９に示すように、プロジェクタ１２は、プロジェクタ取り付け部材１４（２１４）内に収容された状態で、プロジェクタ取り付け部材１４（２１４）を介して浴室１００の天井材１０２の裏側部分１０２ｃに設置されている。しかしながら、本実施の形態はこれに限らない。
【０１５７】
また、上述の実施の形態１および２の場合、画像投影システムは、浴室の天井材の裏側に配置されているが、本発明の実施の形態はこれに限らない。天井材の裏側に代わって、画像投影システムは、壁材の裏側に配置されてもよい。この場合、壁材は、画像投影システムのプロジェクタの投影光が通過する開口を備える。
【０１５８】
さらに、上述の実施の形態１および２の場合、画像投影システムは浴室内に画像を投影するが、言い換えると上述の実施の形態は画像を投影することができる浴室であるが、本発明の実施の形態はこれに限らない。
【０１５９】
そして、上述の実施の形態１の場合は光熱変換面やヒーターによってケース部材の内部空間が温められ、一方、上述の実施の形態２の場合はプロジェクタの排気によってケース部材の内部空間が温められている。しかしながら、本発明の実施の形態はこれに限らない。すなわち、ケース部材自ら、ケース部材の内部空間を温めることも可能である。例えば、ケース部材を断熱性に優れた材料から作製するまたは肉厚にすることにより、ケース部材の内部空間は、天井材の裏側空間（ケース部材の内部空間を除く）に比べて高温に、浴室からの熱の移動によって温められる。すなわち、天井材の裏側空間に比べて小さく、また天井材の裏側空間から隔離されているために、ケース部材の内部空間は、天井材の裏側空間に比べて高温になる。その結果、ケース部材がない場合に比べて、ケース部材を設けた方が、そのケース部材に覆われるカバー部材の浴室内側表面に結露が生じにくい。
【０１６０】
したがって、本発明に係る実施の形態は、広義には、室内空間を画定する天井材または壁材の裏側に配置され、且つ、天井材または壁材に設けられた開口を介して室内に投影光を出射する出射部を備えるプロジェクタと、天井材または壁材の開口を塞ぎ、プロジェクタの投影光が透過するカバー部材と、プロジェクタの出射部とカバー部材とを覆い、且つ、プロジェクタの出射部から開口に向かう投影光が通過する内部空間を形成するケース部材と、を有する画像投影システムである。
【０１６１】
以上のように、本発明における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６２】
また、前述の実施形態は、本発明における技術を例示するためのものであるから、特許請求の範囲又はその均等の範囲において種々の変更、置き換え、付加、省略などを行うことができる。
【図１】
2017141619.tif 000003
【図２】
2017141619.tif 000004
【図３】
2017141619.tif 000005
【図４】
2017141619.tif 000006
【図５】
2017141619.tif 000007
【図６】
2017141619.tif 000008
【図７】
2017141619.tif 000009
【図８】
2017141619.tif 000010
【図９】
2017141619.tif 000011
【図１０】
2017141619.tif 000012
【図１１】
2017141619.tif 000013
【図１２】
2017141619.tif 000014
【図１３】
2017141619.tif 000015
【国際調査報告】
2017141619.tif 000016
2017141619.tif 000017
2017141619.tif 000018
2017141619.tif 000019